Podtech/llm-jp-corpus-v4-ja_patent huggingface dataset:
【手続補正書】
【提出日】平成29年2月20日(2017.2.20)
【手続補正１】
【補正対象書類名】特許請求の範囲
【補正対象項目名】請求項１
【補正方法】変更
【補正の内容】
【請求項１】
遊技者が取り出し可能な箇所に遊技球が貯留される空間であって、発射装置によって発射される遊技球を貯留するための空間ではない、遊技球貯留空間を備えた遊技機において、
出口が前記遊技球貯留空間に繋がり、当該遊技球貯留空間に向かって遊技球を誘導する第一誘導路と、
出口が前記第一誘導路の側面に繋がり、当該第一誘導路に向かって遊技球を誘導する誘導路であって、当該第一誘導路による遊技球の誘導方向と交差する方向に沿って設けられた第二誘導路と、
を備え、
前記第二誘導路の底面は、下流側の端縁が前記遊技球貯留空間に繋がる出口の下縁となるように傾斜した形状を呈する前記第一誘導路の底面よりも高い位置に設けられていることを特徴とする遊技機。
【手続補正２】
【補正対象書類名】明細書
【補正対象項目名】０００６
【補正方法】変更
【補正の内容】
【０００６】
上記課題を解決するためになされた請求項１の発明にかかる遊技機は、取り出し可能な箇所に遊技球が貯留される空間であって、発射装置によって発射される遊技球を貯留するための空間ではない、遊技球貯留空間を備えた遊技機において、出口が前記遊技球貯留空間に繋がり、当該遊技球貯留空間に向かって遊技球を誘導する第一誘導路と、出口が前記第一誘導路の側面に繋がり、当該第一誘導路に向かって遊技球を誘導する誘導路であって、当該第一誘導路による遊技球の誘導方向と交差する方向に沿って設けられた第二誘導路と、を備え、前記第二誘導路の底面は、下流側の端縁が前記遊技球貯留空間に繋がる出口の下縁となるように傾斜した形状を呈する前記第一誘導路の底面よりも高い位置に設けられていることを特徴とする。
【手続補正書】
【提出日】平成28年12月19日(2016.12.19)
【手続補正１】
【補正対象書類名】特許請求の範囲
【補正対象項目名】全文
【補正方法】変更
【補正の内容】
【特許請求の範囲】
【請求項１】
所定条件の成立に基づいて抽選を行う抽選手段と、
該抽選手段の抽選結果に応じて演出表示を行う可変表示装置と、
前記抽選結果が特定結果である場合に、遊技者に利益を付与する利益付与状態に制御する利益付与状態制御手段と、
所定の駆動態様で駆動される可動装飾手段と、
該可動装飾手段を駆動制御する駆動制御手段と、を備え、
前記可動装飾手段は、第１装飾部と第２装飾部とによって構成されるとともに、所定の収納位置にある状態では、少なくとも第２装飾部が視認困難とされ、
前記駆動制御手段は、
前記可変表示装置にて演出表示しているなかで、前記第２装飾部が視認困難とされた状態で前記可動装飾手段を前記可変表示装置の前方に表出させ、その後に、前記第２装飾部が視認容易になるように動作させてから、前記可動装飾手段を前記収納位置に戻す可動演出を実行する可動演出実行手段と、を有し、
前記可動演出にて前記可動装飾手段を前記可変表示装置の前方に表出させた後に、前記第２装飾部が視認容易になるように前記可動装飾手段を駆動させる駆動態様を複数設け、
前記可動演出を行う場合には、前記駆動態様によって前記利益付与状態に制御される可能性が異なることを示唆する
ことを特徴とする遊技機。
【手続補正２】
【補正対象書類名】明細書
【補正対象項目名】０００７
【補正方法】変更
【補正の内容】
【０００７】
上述の目的を達成するための有効な解決手段を以下に示す。なお、必要に応じてその作用等の説明を行う。また、理解の容易のため、発明の実施の形態において対応する構成等についても適宜示すが、何ら限定されるものではない。
上記目的を達成するために、請求項１の発明においては、
所定条件の成立に基づいて抽選を行う抽選手段と、
該抽選手段の抽選結果に応じて演出表示を行う可変表示装置と、
前記抽選結果が特定結果である場合に、遊技者に利益を付与する利益付与状態に制御する利益付与状態制御手段と、
所定の駆動態様で駆動される可動装飾手段と、
該可動装飾手段を駆動制御する駆動制御手段と、を備え、
前記可動装飾手段は、第１装飾部と第２装飾部とによって構成されるとともに、所定の収納位置にある状態では、少なくとも第２装飾部が視認困難とされ、
前記駆動制御手段は、
前記可変表示装置にて演出表示しているなかで、前記第２装飾部が視認困難とされた状態で前記可動装飾手段を前記可変表示装置の前方に表出させ、その後に、前記第２装飾部が視認容易になるように動作させてから、前記可動装飾手段を前記収納位置に戻す可動演出を実行する可動演出実行手段と、を有し、
前記可動演出にて前記可動装飾手段を前記可変表示装置の前方に表出させた後に、前記第２装飾部が視認容易になるように前記可動装飾手段を駆動させる駆動態様を複数設け、
前記可動演出を行う場合には、前記駆動態様によって前記利益付与状態に制御される可能性が異なることを示唆する
ことを特徴とする。
【手続補正書】
【提出日】平成29年7月3日(2017.7.3)
【手続補正１】
【補正対象書類名】特許請求の範囲
【補正対象項目名】全文
【補正方法】変更
【補正の内容】
【特許請求の範囲】
【請求項１】
第１始動口に設けられた第１の領域または第２始動口に設けられた第２の領域を遊技球が通過することにより、遊技者に有利な特別遊技を行うか否かを判定する特別遊技判定手段と、
前記第１の領域に対する遊技球の通過状態に応じたレベルの信号を出力する第１スイッチ手段と、
前記第２の領域に対する遊技球の通過状態に応じたレベルの信号を出力する第２スイッチ手段と、
前記第１スイッチ手段により出力される信号に基づいて、予め定められた間隔で繰り返し実行される反復処理により、前記第１の領域を遊技球が通過したか否かを判定するときと、前記第２スイッチ手段により出力される信号に基づいて、前記反復処理により、前記第２の領域を遊技球が通過したか否かを判定するときとがある判定手段とを備え、
前記判定手段は、
前記第１スイッチ手段または前記第２スイッチ手段により出力された信号のレベルが所定の閾値レベルよりも第１方向に位置すると判定する第１判定、又は、当該信号のレベルが当該所定の閾値レベルまたは当該所定の閾値レベルよりも前記第１方向と反対の第２方向に位置すると判定する第２判定を行う信号レベル判定手段と、
第ｎ（ｎは自然数）回目の反復処理における１回の前記第１判定が行われてから第ｎ＋１回目の反復処理において前記第２判定が行われると、当該第ｎ＋１回目の反復処理において更に判定が行われ、当該判定が前記第２判定である場合に、前記第１の領域または前記第２の領域を遊技球が通過したと判定する通過判定手段とを有する、遊技機。
【手続補正２】
【補正対象書類名】明細書
【補正対象項目名】０００７
【補正方法】変更
【補正の内容】
【０００７】
本発明の一局面に係る遊技機（１）は、
第１始動口に設けられた第１の領域または第２始動口に設けられた第２の領域を遊技球が通過することにより、遊技者に有利な特別遊技を行うか否かを判定する特別遊技判定手段と、
前記第１の領域に対する遊技球の通過状態に応じたレベルの信号を出力する第１スイッチ手段（１１１ａ）と、
前記第２の領域に対する遊技球の通過状態に応じたレベルの信号を出力する第２スイッチ手段（１１１ｂ）と、
前記第１スイッチ手段により出力される信号に基づいて、予め定められた間隔で繰り返し実行される反復処理（タイマ割込み処理）により、前記第１の領域を遊技球が通過したか否かを判定するときと、前記第２スイッチ手段により出力される信号に基づいて、前記反復処理により、前記第２の領域を遊技球が通過したか否かを判定するときとがある判定手段とを備え、
前記判定手段は、
前記第１スイッチ手段または前記第２スイッチ手段により出力された信号のレベルが所定の閾値レベル（通過判定閾値のレベル）よりも第１方向（ＯＦＦ方向）に位置すると判定する第１判定（ＯＦＦ判定）、又は、当該信号のレベルが当該所定の閾値レベルまたは当該所定の閾値レベルよりも前記第１方向と反対の第２方向（ＯＮ方向）に位置すると判定する第２判定（ＯＮ判定）を行う信号レベル判定手段と、
第ｎ（ｎは自然数）回目の反復処理における１回の前記第１判定が行われてから第ｎ＋１回目の反復処理において前記第２判定が行われると、当該第ｎ＋１回目の反復処理において更に判定が行われ、当該判定が前記第２判定である場合に、前記第１の領域または前記第２の領域を遊技球が通過したと判定する通過判定手段とを有する（図５ご参照）。
【手続補正書】
【提出日】平成29年8月8日(2017.8.8)
【手続補正１】
【補正対象書類名】特許請求の範囲
【補正対象項目名】全文
【補正方法】変更
【補正の内容】
【特許請求の範囲】
【請求項１】
遊技に用いる遊技媒体を貯留可能な貯留部が満タン状態になっていることを検出する検出手段と、
画像を表示可能な表示装置と、
音声を出力可能な音声出力装置と、
前記検出手段により前記満タン状態になっていることが検出されているときに、所定の報知態様で前記満タン状態であることの報知をおこなうことが可能な報知手段と、を備えた遊技機であって、
前記報知手段は、前記検出手段により前記満タン状態になっていないときから前記満タン状態になったことが検出されると、
前記表示装置に表示する報知表示及び前記音声出力装置から出力する報知音を用いた第１の報知態様で前記報知を開始させ、当該報知を開始してから所定期間が経過した時に前記検出手段により前記満タン状態になっていることが検出されていると、前記報知表示又は前記報知音の何れか一方を用いた第２の報知態様で前記報知を開始し、
前記第２の報知態様による報知を実行中に前記遊技機に対する電源供給が中止され、前記遊技機の再起動後に前記検出手段により前記満タン状態になっていることが検出されていた場合には、前記第１の報知態様で前記報知を開始させることを特徴とする遊技機。
【手続補正２】
【補正対象書類名】明細書
【補正対象項目名】０００５
【補正方法】変更
【補正の内容】
【０００５】
本発明は、上述の課題を解決するためになされたものであり、以下の形態により実現することが可能である。
第１の形態の遊技機は、遊技に用いる遊技媒体を貯留可能な貯留部が満タン状態になっていることを検出する検出手段と、画像を表示可能な表示装置と、音声を出力可能な音声出力装置と、前記検出手段により前記満タン状態になっていることが検出されているときに、所定の報知態様で前記満タン状態であることの報知をおこなうことが可能な報知手段と、を備えた遊技機であって、前記報知手段は、前記検出手段により前記満タン状態になっていないときから前記満タン状態になったことが検出されると、前記表示装置に表示する報知表示及び前記音声出力装置から出力する報知音を用いた第１の報知態様で前記報知を開始させ、当該報知を開始してから所定期間が経過した時に前記検出手段により前記満タン状態になっていることが検出されていると、前記報知表示又は前記報知音の何れか一方を用いた第２の報知態様で前記報知を開始し、前記第２の報知態様による報知を実行中に前記遊技機に対する電源供給が中止され、前記遊技機の再起動後に前記検出手段により前記満タン状態になっていることが検出されていた場合には、前記第１の報知態様で前記報知を開始させることを特徴とする。
【手続補正書】
【提出日】平成29年6月28日(2017.6.28)
【手続補正１】
【補正対象書類名】特許請求の範囲
【補正対象項目名】全文
【補正方法】変更
【補正の内容】
【特許請求の範囲】
【請求項１】
遊技機を電飾可能な電飾手段を備えた遊技機において、
前記電飾手段は、
第１の光源により発光表示される第１の装飾部と、この第１の装飾部の側方に隣接状に設けられて第２の光源により発光表示される第２の装飾部とを備え、
前記第１，第２の装飾部の裏面側に前記第１，第２の光源が配置され、
前記第１の光源の光を前記第１の装飾部に導く為の第１の空間と前記第２の光源の光を前記第２の装飾部に導く為の第２の空間とを仕切る仕切部材を設けたことを特徴とする遊技機。
【請求項２】
前記第２の光源から出射された光を入射して前記仕切部材から離隔する側方へ導いて前方へ出射し、その前方へ出射した光によって前記第２の装飾部を発光表示させ得る導光手段を設けたことを特徴とする請求項１に記載の遊技機。
【手続補正２】
【補正対象書類名】明細書
【補正対象項目名】０００９
【補正方法】変更
【補正の内容】
【０００９】
第１の発明は、遊技機(1) を電飾可能な電飾手段(6) を備えた遊技機(1) において、前記電飾手段(6) は、第１の光源(571) により発光表示される第１の装飾部(542a)と、この第１の装飾部(542a)の側方に隣接状に設けられて第２の光源(574) により発光表示される第２の装飾部(514) とを備え、前記第１，第２の装飾部(542a,514)の裏面側に前記第１，第２の光源(571,574) が配置され、前記第１の光源(571) の光を前記第１の装飾部(542a)に導く為の第１の空間と前記第２の光源(574) の光を前記第２の装飾部(514) に導く為の第２の空間とを仕切る仕切部材(546) を設けたことを特徴とする。
【手続補正３】
【補正対象書類名】明細書
【補正対象項目名】００１０
【補正方法】変更
【補正の内容】
【００１０】
第２の発明は、第１の発明において、前記第２の光源(574) から出射された光を入射して前記仕切部材(546) から離隔する側方へ導いて前方へ出射し、その前方へ出射した光によって前記第２の装飾部(514) を発光表示させ得る導光手段(550) を設けたことを特徴とする。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正書】
【提出日】平成29年3月31日(2017.3.31)
【手続補正１】
【補正対象書類名】特許請求の範囲
【補正対象項目名】全文
【補正方法】変更
【補正の内容】
【特許請求の範囲】
【請求項１】
所定の外周部を有する回転体と、
前記外周部に設けられた環状導電部材と、
前記環状導電部材に電気的に接続される接触子とを有し、
前記環状導電部材は、前記外周部に巻き付けられた帯状導電部材で構成されたことを特徴とする遊技機。
【手続補正２】
【補正対象書類名】明細書
【補正対象項目名】０００１
【補正方法】変更
【補正の内容】
【０００１】
本発明は、回転体の環状導電部材に電気的に接続される接触子を有する遊技機に関するものである。
【手続補正３】
【補正対象書類名】明細書
【補正対象項目名】０００８
【補正方法】変更
【補正の内容】
【０００８】
第１発明の遊技機は、所定の外周部（例えば、筒状部(112) の外周部）を有する回転体(110) と、前記外周部に設けられた環状導電部材(176) と、前記環状導電部材(176) に電気的に接続される接触子(177b)とを有し、前記環状導電部材(176) は、前記外周部に巻き付けられた帯状導電部材(176a)で構成されれたことを特徴としている。この第１発明に基づいて、役物としての回転体(110) と、この回転体(110) の筒状部(112) の外周部に設けられた環状導電部材(176) と、この環状導電部材(176) に接触子(177b)を介して電気的に接続される接触子ユニット(177) とを有する遊技機(1) において、前記環状導電部材(176) は、前記筒状部(112) に巻き付けて両端側部分が筒状部(112) の導入部(178) から筒状部(112) の内周側に導入された帯状導電部材(176a)で構成され、前記帯状導電部材(176a)に張力を付加する張力付加機構(176f)を設け、前記接触子(177b)をストレート形状に形成して弾性変形させた状態で、前記環状導電部材(176) に接触させることができる。
【手続補正４】
【補正対象書類名】明細書
【補正対象項目名】００１１
【補正方法】変更
【補正の内容】
【００１１】
本発明によれば、回転体の外周部に設けた環状導電部材と、この環状導電部材に接触させる接触子とを電気的に接続した状態を安定的に維持することができる。
【手続補正書】
【提出日】平成29年9月21日(2017.9.21)
【手続補正１】
【補正対象書類名】特許請求の範囲
【補正対象項目名】全文
【補正方法】変更
【補正の内容】
【特許請求の範囲】
【請求項１】
モールドパッドと該モールドパッドを覆うトリムカバーを有した車両用シートの製造方法であって、
前記モールドパッドは溝を有しており、
該溝内にのみ接着剤を付加し、
前記トリムカバーを前記溝内に押し込み、
前記モールドパッドの前記トリムカバーで覆う反対面から該モールドパッドに蒸気ノズルを挿入し、
前記蒸気ノズルからの加熱または蒸気によって前記溝内の接着剤を溶融させて前記溝に前記トリムカバーを接着させることを特徴とする車両用シートの製造方法。
【請求項２】
請求項１に記載の車両用シートの製造方法であって、
前記溝内への接着剤付加は、前記溝内へ接着剤を流し込む、または、前記接着剤をシート状接着剤として前記溝内に押し込み仮置きとすることで実施することを特徴とする車両用シートの製造方法。
【請求項３】
請求項１に記載の車両用シートの製造方法であって、
前記溝内への接着剤付加は、前記接着剤をシート状接着剤として前記トリムカバーを縫製する際に同時に該シート状接着剤を縫い付け縫製部を構成し、前記トリムカバーを前記溝内に押し込む代わりに前記縫製部を前記溝内に押し込むことで実施することを特徴とする車両用シートの製造方法。
【請求項４】
請求項１から３のいずれか１項に記載の車両用シートの製造方法であって、
前記接着剤はホットメルトであることを特徴とする車両用シートの製造方法。
【請求項５】
請求項１から４のいずれか１項に記載の車両用シートの製造方法であって、
前記蒸気ノズルは、前記溝に沿って所定間隔で前記モールドパッドに挿入され、前記溝内の接着剤を溶融させて前記溝に前記トリムカバーを接着させることを特徴とする車両用シートの製造方法。
【請求項６】
モールドパッドと、
該モールドパッドを覆うトリムカバーを有し、
前記モールドパッドは溝を有しており、
前記トリムカバーが前記溝内でのみ接着されており、
前記モールドパッドのトリムカバーで覆う反対面から該モールドパッドの内部に前記溝に沿った穴を複数有していることを特徴とする車両用シート。
【請求項７】
請求項６に記載の車両用シートであって、
前記穴は、前記トリムカバーを前記溝内で接着するための接着剤の溶融のための加熱用ノズルの挿入穴であることを特徴とする車両用シート。
【請求項８】
請求項６または７のいずれか１項に記載の車両用シートであって、
前記溝内で接着されている前記トリムカバーは、該トリムカバーの縫製部であることを特徴とする車両用シート。
【手続補正書】
【提出日】平成29年10月23日(2017.10.23)
【手続補正１】
【補正対象書類名】特許請求の範囲
【補正対象項目名】全文
【補正方法】変更
【補正の内容】
【特許請求の範囲】
【請求項１】
画像を生成する撮像素子と、
被写体に向けて照明光を出射する照明部と、
前記被写体の形状に応じた前記撮像素子の受光輝度分布に基づく配光情報と、前記画像を同心円状に分割した複数の測光エリアそれぞれにおいて設定される目標測光値と、前記複数の測光エリアそれぞれにおいて設定される基準差分値と、前記被写体の形状を判定するための形状判定値とを記憶する記憶部と、
前記複数の測光エリアそれぞれにおいて設定された複数の測光ポイントにおける代表測光値と、前記目標測光値との差分値を算出する演算部と、
前記差分値と前記基準差分値とを比較して抽出される該基準差分値を超えた前記差分値の数と、前記形状判定値とを比較して、前記被写体の形状を判定する判定部と、
前記判定部が判定した前記被写体の形状に応じた調光設定を行って、該調光設定にかかる制御信号を前記照明部に出力する設定部と、
を備えたことを特徴とするカプセル型内視鏡。
【請求項２】
前記判定部は、前記被写体の形状を判定後、当該撮像素子が被写体の壁面と近接しているか否かを判定し、
前記設定部は、前記判定部の判定結果に基づいて、前記壁面と近接していない単純調光設定、または前記壁面に近接した壁面近接調光設定のいずれかを設定する
ことを特徴とする請求項１に記載のカプセル型内視鏡。
【請求項３】
前記代表測光値および前記目標測光値は、互いの最大値および最小値をそれぞれ同じ値とする規格化された値であることを特徴とする請求項１に記載のカプセル型内視鏡。
【請求項４】
前記被写体の形状は、平面状、球状および筒状であることを特徴とする請求項１に記載のカプセル型内視鏡。
【手続補正書】
【提出日】平成29年3月7日(2017.3.7)
【手続補正１】
【補正対象書類名】特許請求の範囲
【補正対象項目名】全文
【補正方法】変更
【補正の内容】
【特許請求の範囲】
【請求項１】
測定光を被検体に向けて出射させる光出射部と、
前記測定光の照射を受けた被検体の部分から発せられた音響波を検出する音響波検出素子と、
使用時に被検体に向けられる表面を有し、内部に前記光出射部および前記音響波検出素子を収容した筐体とを有する光音響計測用プローブにおいて、
前記光出射部と前記音響波検出素子との間に、前記筐体の一部が存在し、
前記一部の筐体の表面から筐体内部に向かって延びる、前記表面に開口したスリットを少なくとも１つ有することを特徴とする光音響計測用プローブ。
【請求項２】
前記光出射部と前記音響波検出素子との並び方向と直交する方向に関して、前記スリットの両端部がそれぞれ、前記音響波検出素子の両端部よりも外側に位置している請求項１記載の光音響計測用プローブ。
【請求項３】
前記音響波検出素子を間に置いて、該音響波検出素子の両側に各々前記光出射部が少なくとも１つ配設されている請求項１または２記載の光音響計測用プローブ。
【請求項４】
前記音響波検出素子の両側に配設された光出射部の一方と該音響波検出素子との間に有る前記スリットと、前記音響波検出素子の両側に配設された光出射部の他方と該音響波検出素子との間に有る前記スリットとが、互いに一端部どうし、他端部どうしで別のスリットにより繋げられて、前記音響波検出素子がスリットにより囲まれている請求項３記載の光音響計測用プローブ。
【請求項５】
請求項１から４いずれか１項記載の光音響計測用プローブと、
測定光を出力する光源と、
前記測定光を前記光音響計測用プローブの光出射部へ光学的に接続する接続部とを備えてなるプローブユニット。
【請求項６】
請求項１から４いずれか１項記載の光音響計測用プローブと、
前記光音響計測用プローブが出力する光音響波検出信号に基づいて光音響画像を生成する信号処理部とを備えてなる光音響計測装置。
【手続補正書】
【提出日】平成29年11月2日(2017.11.2)
【手続補正１】
【補正対象書類名】明細書
【補正対象項目名】００２１
【補正方法】変更
【補正の内容】
【００２１】
この組成を有することで、カーボンの母相中に一定量のＳｉＣおよびＢ４Ｃが分散した組織となり、抵抗溶接用電極表面が使用中に高温となった場合でも、電極表面に酸化が進みにくい層を形成する。この酸化が進みにくい層はＳｉＯ２やＢ２Ｏ３などからなる、金属や酸素と反応しにくい層であり、この層が抵抗溶接用電極表面に形成されることにより、抵抗溶接用電極および空気中の酸素との反応がほとんど起こらなくなる。
【手続補正２】
【補正対象書類名】明細書
【補正対象項目名】００３７
【補正方法】変更
【補正の内容】
【００３７】
試料１〜試料５および比較試料１１〜１３で同形状の電極１にて、表１に示す条件で連続打点のスポット溶接を行った。そして、形成されたナゲット径を測定し、ナゲット径が３．３ｍｍを下回るものを溶接不良として、電極寿命を求めた。また、電極１の最も細くなった部分が使用前の９０％を下回った段階で、その電極は寿命とした。また、折損が起こった場合、ピックアップ現象が起こった場合も寿命とした。寿命結果を表２にまとめた。
試料１：３質量％ＳｉＣ−２質量％Ｂ４Ｃ−残部カーボンの本発明の抵抗溶接用電極
試料２：３質量％ＳｉＣ−３質量％Ｂ４Ｃ−残部カーボンの本発明の抵抗溶接用電極
試料３：９質量％ＳｉＣ−５質量％Ｂ４Ｃ−残部カーボンの本発明の抵抗溶接用電極
試料４：１１質量％ＳｉＣ−７質量％Ｂ４Ｃ−残部カーボンの本発明の抵抗溶接用電極
試料５：１４質量％ＳｉＣ−３質量％Ｂ４Ｃ−残部カーボンの本発明の抵抗溶接用電極
比較試料２１：カーボン（ほぼ純粋なグラファイト）製の抵抗溶接用電極
比較試料２２：クロム銅の抵抗溶接用電極
比較試料２３：タングステンの抵抗溶接用電極
【手続補正書】
【提出日】平成29年9月1日(2017.9.1)
【手続補正１】
【補正対象書類名】特許請求の範囲
【補正対象項目名】全文
【補正方法】変更
【補正の内容】
【特許請求の範囲】
【請求項１】
所定条件の成立に基づいて、遊技者に有利な特別遊技を実行する遊技機であって、
始動条件が成立した場合、判定情報を取得する判定情報取得手段と、
前記判定情報取得手段が取得した前記判定情報に基づいて、前記特別遊技を実行するか否かを判定する特別遊技判定手段と、
前記特別遊技判定手段によって判定が行われた場合、該判定の結果を報知するための報知演出を実行する報知演出実行手段と、
前記報知演出において行われる演出として、前記特別遊技が行われる可能性を示唆する示唆演出の実行を決定する示唆演出実行決定手段と、
前記報知演出において行われる演出として、前記示唆演出の後に行われる演出であって前記特別遊技が行われる可能性を示唆する特定演出の実行を決定する特定演出実行決定手段と、
前記示唆演出の実行が決定されたことに基づいて、前記示唆演出を実行するキャラクタの表示と、
前記特定演出の実行が決定されたことに基づいて、前記特定演出を実行するキャラクタの表示と、が可能なキャラクタ表示手段と、を備え、
前記示唆演出を実行するキャラクタと、前記特定演出を実行するキャラクタとは、同一のキャラクタを表示可能である
ことを特徴とする遊技機。
【手続補正２】
【補正対象書類名】明細書
【補正対象項目名】０００７
【補正方法】変更
【補正の内容】
【０００７】
本発明にかかる遊技機は、所定条件の成立に基づいて、遊技者に有利な特別遊技を実行する遊技機であって、始動条件が成立した場合、判定情報を取得する判定情報取得手段（例えば、主制御基板の入力制御処理を実行する部分）と、前記判定情報取得手段が取得した前記判定情報に基づいて、前記特別遊技を実行するか否かを判定する特別遊技判定手段（例えば、主制御基板の大当たり判定処理を実行する部分）と、前記特別遊技判定手段によって判定が行われた場合、該判定の結果を報知するための報知演出を実行する報知演出実行手段（例えば、演出制御基板の変動演出パターン決定処理を実行する部分）と、前記報知演出において行われる演出として、前記特別遊技が行われる可能性を示唆する示唆演出の実行を決定する示唆演出実行決定手段と、前記報知演出において行われる演出として、前記示唆演出の後に行われる演出であって前記特別遊技が行われる可能性を示唆する特定演出の実行を決定する特定演出実行決定手段と、前記示唆演出の実行が決定されたことに基づいて、前記示唆演出を実行するキャラクタの表示と、前記特定演出の実行が決定されたことに基づいて、前記特定演出を実行するキャラクタの表示と、が可能なキャラクタ表示手段と、を備え、前記示唆演出を実行するキャラクタと、前記特定演出を実行するキャラクタとは、同一のキャラクタを表示可能であることを特徴とする。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正書】
【提出日】平成29年3月8日(2017.3.8)
【手続補正１】
【補正対象書類名】特許請求の範囲
【補正対象項目名】全文
【補正方法】変更
【補正の内容】
【特許請求の範囲】
【請求項１】
被検体への光の照射により該被検体から発生する音響波を、複数の音響波受信素子で受信することにより得られるデータを処理するデータ処理方法であって、
前記複数の音響波受信素子から出力される受信信号に対応する受信データを記憶手段に記憶するステップ、および
前記被検体の内部に対応する三次元のターゲット領域を構成する複数のボクセルのそれぞれに関して、前記記憶された受信データから、前記ボクセルに由来する信号を抽出し、前記抽出された信号に基づいて、ボクセルデータを取得する取得ステップ、
を有することを特徴とするデータ処理方法。
【請求項２】
前記取得ステップを、同一のボクセルについて、複数回実行して得られた複数のボクセルデータを加算する加算ステップをさらに有する
ことを特徴とする請求項１に記載のデータ処理方法。
【請求項３】
前記複数の音響波受信素子の受信チャンネル毎に窓関数重み係数を設定する窓関数重み係数設定ステップをさらに有する
ことを特徴とする請求項１または２に記載の光音響装置のデータ処理方法。
【請求項４】
前記複数の音響波受信素子の受信チャンネル毎に、フィルタ処理、対数圧縮処理、微分処理、包絡線検波処理、直交検波処理の少なくとも一つを含む信号処理を行う信号処理ステップをさらに有する
ことを特徴とする請求項１乃至３のいずれか１項に記載のデータ処理方法。
【手続補正２】
【補正対象書類名】明細書
【補正対象項目名】発明の名称
【補正方法】変更
【補正の内容】
【発明の名称】データ処理方法
【手続補正３】
【補正対象書類名】明細書
【補正対象項目名】０００１
【補正方法】変更
【補正の内容】
【０００１】
本発明は、データ処理方法に関する。
【手続補正４】
【補正対象書類名】明細書
【補正対象項目名】００１８
【補正方法】変更
【補正の内容】
【００１８】
上記目的を達成するために、本発明は、以下の構成を採用する。すなわち、
被検体への光の照射により該被検体から発生する音響波を、複数の音響波受信素子で受信することにより得られるデータを処理するデータ処理方法であって、
前記複数の音響波受信素子から出力される受信信号に対応する受信データを記憶手段に記憶するステップ、および
前記被検体の内部に対応する三次元のターゲット領域を構成する複数のボクセルのそれぞれに関して、前記記憶された受信データから、前記ボクセルに由来する信号を抽出し、前記抽出された信号に基づいて、ボクセルデータを取得する取得ステップ、
を有することを特徴とするデータ処理方法である。
【手続補正書】
【提出日】平成29年2月3日(2017.2.3)
【手続補正１】
【補正対象書類名】特許請求の範囲
【補正対象項目名】全文
【補正方法】変更
【補正の内容】
【特許請求の範囲】
【請求項１】
一対の電極間に有機化合物を含む層を有し、
前記有機化合物を含む層は、下記式（Ｇ１）で表されるカルバゾール化合物を有する発光素子。
【化１】
2016129240.tif 000001
（式（Ｇ１）中、Ａｒ１は水素、炭素数６乃至１３のアリール基のいずれかを表し、Ｒ１乃至Ｒ１５はそれぞれ独立に水素、炭素数１乃至６のアルキル基及び炭素数６乃至１３のアリール基のいずれかを表す。また、ｎは０又は１の値を取り、αは下記式（α−１）又は（α−２）で表される基である。また、Ａｒ２は水素、炭素数１乃至６のアルキル基、炭素数６乃至１３のアリール基及び下記式（ｇ１）で表される基のいずれかを表す。Ｑ１は酸素又は硫黄を表す。）
【化２】
2016129240.tif 000002
【化３】
2016129240.tif 000003
（式（ｇ１）中、Ｒ１６乃至Ｒ２２はそれぞれ独立に水素、炭素数１乃至６のアルキル基及び炭素数６乃至１３のアリール基のいずれかを表す。また、Ｑ２は酸素又は硫黄を表す。）
【請求項２】
一対の電極間に有機化合物を含む層を有し、
前記有機化合物を含む層は、下記構造式（１１８）で表されるカルバゾール化合物を有する発光素子。
【化４】
2016129240.tif 000004
【請求項３】
一対の電極間に有機化合物を含む層を有し、
前記有機化合物を含む層は、下記構造式（１２１）で表されるカルバゾール化合物を有する発光素子。
【化５】
2016129240.tif 000005
【請求項４】
一対の電極間に有機化合物を含む層を有し、
前記有機化合物を含む層は、下記構造式（１３４）で表されるカルバゾール化合物を有する発光素子。
【化６】
2016129240.tif 000006
【請求項５】
一対の電極間に有機化合物を含む層を有し、
前記有機化合物を含む層は、下記構造式（１３７）で表されるカルバゾール化合物を有する発光素子。
【化７】
2016129240.tif 000007
【請求項６】
請求項１乃至請求項５のいずれか一に記載の発光素子を有する発光装置。
【請求項７】
請求項１乃至請求項５のいずれか一に記載の発光素子を有する照明装置。
【請求項８】
請求項１乃至請求項５のいずれか一に記載の発光素子と、前記発光素子を制御する手段と、を有する電子機器。
【手続補正書】
【提出日】平成29年2月27日(2017.2.27)
【手続補正１】
【補正対象書類名】特許請求の範囲
【補正対象項目名】全文
【補正方法】変更
【補正の内容】
【特許請求の範囲】
【請求項１】
デバイスであって、前記デバイスは、
ｃ面に対して８０度と９０度との間の傾斜角を有するＧａＮの半極性結晶面上にエピタキシー成長された１つ以上の半極性ＩＩＩ族窒化物層を含み、前記ＩＩＩ族窒化物層のうちの１つ以上は、０．７５ｎｍ以下の表面ラフネスを有する、デバイス。
【請求項２】
前記半極性結晶面は、｛３０−３１｝面、｛３０−３−１｝面、｛４０−４１｝面、または｛４０−４−１｝面である、請求項１に記載のデバイス。
【請求項３】
前記半極性結晶面は、ＧａＮの上表面である、請求項１に記載のデバイス。
【請求項４】
前記半極性結晶面は、ＧａＮ基板の上表面である、請求項１に記載のデバイス。
【請求項５】
前記半極性ＩＩＩ族窒化物層は、インジウム組成および厚さを有するＩｎＧａＮ層を含み、前記厚さは、Ｍａｔｈｅｗｓ−Ｂｌａｋｅｓｌｅｅ臨界厚さ以上であり、前記臨界厚さは、ＩｎＧａＮ層に対するものであり、前記ＩｎＧａＮ層は、前記ＩＩＩ族窒化物層の前記ＩｎＧａＮ層のインジウム組成と同一であるインジウム組成を有し、かつ、ＧａＮの｛１１−２２｝半極性結晶面上に堆積される、請求項１に記載のデバイス。
【請求項６】
前記ＩＩＩ族窒化物層は、ＧａＮの｛１１−２２｝結晶面上に堆積された層に対して臨界厚さ以上の厚さを有する層を含む、請求項１に記載のデバイス。
【請求項７】
前記デバイスは、レーザーダイオードであり、前記１つ以上の半極性ＩＩＩ族窒化物層は、少なくとも４．９％の前記レーザーダイオードのためのモーダル閉じ込めを提供するインジウム含有導波管を含み、前記レーザーダイオードは、少なくとも４４４．７ｎｍの波長においてレージングピークを有する、請求項１に記載のデバイス。
【請求項８】
前記半極性ＩＩＩ族窒化物層のうちの１つ以上は、１つ以上のインジウム含有量子井戸を含む光放射活性層を含み、前記量子井戸のうちの１つ以上は、少なくとも１６％のインジウム組成と、４ｎｍより大きい厚さとを有する、請求項１に記載のデバイス。
【請求項９】
前記１つ以上の半極性ＩＩＩ族窒化物層は、少なくとも７％のインジウム組成を含む、請求項１に記載のデバイス。
【請求項１０】
前記デバイスは、ＧａＮ基板のミスカットまたは微斜面の表面上に成長され、前記ミスカットまたは微斜面の表面は、前記半極性結晶面を含み、前記半極性ＩＩＩ族窒化物層は、
１つ以上のｎ型（Ａｌ，Ｉｎ，Ｇａ）Ｎ層と、
１つ以上のｐ型（Ａｌ，Ｉｎ，Ｇａ）Ｎ層と、
前記ｎ型（Ａｌ，Ｉｎ，Ｇａ）Ｎ層と前記１つ以上のｐ型（Ａｌ，Ｉｎ，Ｇａ）Ｎ層との間の１つ以上のＩｎＧａＮ量子井戸層を含むＩｎＧａＮ活性層と
をさらに含み、
前記ｎ型（Ａｌ，Ｉｎ，Ｇａ）Ｎ層および前記ｐ型（Ａｌ，Ｉｎ，Ｇａ）Ｎ層および前記ＩｎＧａＮ量子井戸層は、前記半極性結晶面の半極性配向を有し、前記ＩｎＧａＮ量子井戸層は、少なくとも４７７ｎｍの波長においてピーク光放射またはピーク光吸収を有している、請求項１に記載のデバイス。
【請求項１１】
前記電子デバイスは、レーザーダイオードであり、前記半極性ＩＩＩ族窒化物層は、
前記半極性結晶面の上または上方のｎ型ＧａＮ層と、
前記ｎ型ＧａＮ層の上または上方のｎ型ＩｎＧａＮ導波管層であって、前記ｎ型ＩｎＧａＮ導波管層は、少なくとも５０ｎｍの厚さと、７％以上のインジウム組成とを有する、ｎ型ＩｎＧａＮ導波管層と、
前記ｎ型ＩｎＧａＮ導波管層の上または上方のＩｎＧａＮ活性層であって、前記ＩｎＧａＮ活性層は、少なくとも７％のインジウム組成と、４ｎｍより大きい厚さとを有する１つ以上のＩｎＧａＮ量子井戸層を含む、ＩｎＧａＮ活性層と、
前記ＩｎＧａＮ活性層の上または上方のｐ型ＩｎＧａＮ導波管層と、
前記ｐ型ＩｎＧａＮ導波管層の上または上方のｐ型ＧａＮ層であって、前記ｐ型ＩｎＧａＮ導波管層は、少なくとも５０ｎｍの厚さと、７％以上のインジウム組成とを有する、ｐ型ＧａＮ層と
を含み、
前記ＩＩＩ族窒化物層は、前記半極性結晶面の半極性配向を有する、請求項１に記載のデバイス。
【請求項１２】
前記半極性結晶面は、原子的特定面を含み、これにより、前記ＩＩＩ族窒化物層の平坦なエピタキシー成長が達成される、請求項１に記載のデバイス。
【請求項１３】
前記半極性結晶面上に成長された前記デバイスは、レーザーダイオード、発光ダイオード、超放射ダイオード、半導体増幅器、フォトニック結晶レーザー、ＶＣＳＥＬレーザー、太陽電池、または光検出器を含む、請求項１に記載のデバイス。
【請求項１４】
前記デバイスは、前記半極性結晶面上に成長されたレーザーダイオードであり、前記レーザーダイオードは、より高いゲインのために、前記レーザーダイオードのｃ投影方向に配向された導波管を含む、請求項１に記載のデバイス。
【請求項１５】
前記デバイスは、１２．２ｋＡ／ｃｍ２以下の閾値電流密度を有するレーザーダイオードであり、前記レーザーダイオードは、ｘ線逆格子空間マッピングのＱｘ軸上に垂直に並ぶ前記ＩＩＩ族窒化物層の各々に対するＢｒａｇｇピークによって測定されるコヒーレント的に歪んだ構造を含む、請求項１に記載のデバイス。
【請求項１６】
デバイスを製造する方法であって、前記方法は、
ｃ面に対して８０度と９０度との間の傾斜角を有する半極性結晶面上に１つ以上の半極性ＩＩＩ族窒化物層をエピタキシーに堆積することを含み、前記堆積することは、前記半極性ＩＩＩ族窒化物層のうちの１つ以上が０．７５ｎｍ以下の表面ラフネスを有するという条件の下にある、方法。
【請求項１７】
前記半極性結晶面は、｛３０−３１｝面、｛３０−３−１｝面、｛４０−４１｝面、または｛４０−４−１｝面である、請求項１６に記載の方法。
【請求項１８】
前記半極性結晶面は、ＧａＮの上表面であり、前記条件は、Ｎ２雰囲気を含む、請求項１６に記載の方法。
【請求項１９】
前記半極性ＩＩＩ族窒化物層を堆積することは、インジウム組成および厚さを有するＩｎＧａＮ層を堆積することを含み、前記厚さは、Ｍａｔｈｅｗｓ−Ｂｌａｋｅｓｌｅｅ臨界厚さ以上であり、前記臨界厚さは、ＩｎＧａＮ層に対するものであり、前記ＩｎＧａＮ層は、前記ＩＩＩ族窒化物層のＩｎＧａＮ層のインジウム組成と同一であるインジウム組成を有し、かつ、ＧａＮの｛１１−２２｝半極性結晶面上に堆積される、請求項１６に記載の方法。
【請求項２０】
前記ＩＩＩ族窒化物層は、ＧａＮの｛１１−２２｝結晶面上に堆積された層に対して臨界厚さ以上の厚さを有する層を含む、請求項１６に記載の方法。
【請求項２１】
前記デバイスは、レーザーダイオードであり、前記１つ以上の半極性ＩＩＩ族窒化物層は、少なくとも４．９％の前記レーザーダイオードのためのモーダル閉じ込めを提供するインジウム含有導波管を含み、前記レーザーダイオードは、少なくとも４４４．７ｎｍの波長においてレージングピークを有する、請求項１６に記載の方法。
【請求項２２】
前記半極性ＩＩＩ族窒化物層を堆積することは、光放射活性層を堆積することをさらに含み、前記光放射活性層は、１つ以上のインジウム含有量子井戸を含み、前記量子井戸のうちの１つ以上は、少なくとも１６％のインジウム組成と、４ｎｍより大きい厚さとを有する、請求項１６に記載の方法。
【手続補正書】
【提出日】平成29年3月21日(2017.3.21)
【手続補正１】
【補正対象書類名】特許請求の範囲
【補正対象項目名】全文
【補正方法】変更
【補正の内容】
【特許請求の範囲】
【請求項１】
デバイスを処理する方法であって、
基板上に少なくとも１つの材料層をエピタキシャル成長させることであって、前記少なくとも１つの材料層は欠陥領域を備える、エピタキシャル成長させること、
前記少なくとも１つの材料層の少なくとも一部分上に保護層を堆積させること、並びに
化学機械平坦化（「ＣＭＰ」）／エッチングプロセスであって、
前記デバイスを平坦化機械の中に受け入れること、
平坦化パッドを回転させ、前記欠陥領域を化学的にエッチングするように構成されたエッチング液を含んだスラリを導入すること、
前記欠陥領域のエリアが前記スラリに晒されるまで前記スラリの存在下で前記平坦化パッドを回転させることによって前記デバイスを平坦化すること、及び
前記欠陥領域の少なくとも一部分が前記エッチング液によって化学的に除去されるまで、前記ＣＭＰ／エッチングプロセスを継続することを含んだ、ＣＭＰ／エッチングプロセスを実行することを含む、方法。
【請求項２】
前記平坦化機械から前記デバイスを除去することを更に含む、請求項１に記載の方法。
【請求項３】
前記ＣＭＰ／エッチングプロセスの後で、残っている前記保護層の少なくとも一部分を除去することを更に含む、請求項１に記載の方法。
【請求項４】
前記ＣＭＰ／エッチングプロセスの後で残っている前記保護層の少なくとも一部分を除去することは、前記保護層をエッチングするために、前記保護層の少なくとも一部分にフッ化水素酸を導入することを含む、請求項３に記載の方法。
【請求項５】
前記スラリは、前記保護層の硬度を低減させるように構成された化合物を含む、請求項１に記載の方法。
【請求項６】
前記保護層の前記硬度を低減させるように構成された前記化合物は、酸化剤を含む、請求項５に記載の方法。
【請求項７】
前記酸化剤は、過酸化物、過酸化水素、ハイドロ過酸化水素、過硫酸塩、過炭酸塩、並びにそれらの酸及び塩類を含む、請求項６に記載の方法。
【請求項８】
前記スラリは、近似的に８００：３５：４：３の比率の、コロイド状シリカスラリ、Ｈ２Ｏ、ＮａＯＣｌ、及びクエン酸を含む、請求項１に記載の方法。
【請求項９】
前記スラリは、近似的に２０００：１００：ｘの比率の、コロイド状シリカスラリ、Ｈ２Ｏ２、及びＮＨ４ＯＨを含み、ｘは３以上である、請求項１に記載の方法。
【請求項１０】
デバイスを処理する方法であって、
基板上に少なくとも１つの材料層をエピタキシャル成長させることであって、前記少なくとも１つの材料層は欠陥領域を備える、エピタキシャル成長させること、
前記少なくとも１つの材料層の少なくとも一部分上に保護層を堆積させること、並びに
化学機械平坦化（「ＣＭＰ」）／エッチングプロセスであって、
前記デバイスを平坦化機械の中に受け入れること、
平坦化パッドを回転させ、前記欠陥領域を化学的にエッチングするように構成されたエッチング液を含んだスラリを導入すること、
前記欠陥領域のエリアが前記スラリに晒されるまで前記スラリの存在下で前記平坦化パッドを回転させることによって前記デバイスを平坦化すること、及び
前記少なくとも１つの材料層の少なくとも一部分を通って延びる側壁を有する隙間を形成するように、前記欠陥領域の少なくとも一部分が前記エッチング液によって化学的に除去されるまで、前記ＣＭＰ／エッチングプロセスを継続することを含んだ、ＣＭＰ／エッチングプロセスを実行することを含む、方法。
【請求項１１】
前記スラリは、近似的に８００：３５：４：３の比率の、コロイド状シリカスラリ、Ｈ２Ｏ、ＮａＯＣｌ、及びクエン酸を含む、請求項１０に記載の方法。
【請求項１２】
前記スラリは、近似的に２０００：１００：ｘの比率の、コロイド状シリカスラリ、Ｈ２Ｏ２、及びＮＨ４ＯＨを含み、ｘは３以上である、請求項１０に記載の方法。
【手続補正書】
【提出日】平成29年3月17日(2017.3.17)
【手続補正１】
【補正対象書類名】特許請求の範囲
【補正対象項目名】全文
【補正方法】変更
【補正の内容】
【特許請求の範囲】
【請求項１】
コンテンツの企画に関する企画情報を受け付け、受け付けた前記企画情報を、前記企画を識別するための企画ＩＤと対応付けて企画情報記憶手段に格納する企画受付手段と、
前記企画ＩＤに対応付けて前記企画情報記憶手段に記憶されている企画情報によって示される企画への提案に関する提案情報を提案者から受け付け、受け付けた提案情報を前記企画ＩＤに対応付けて前記企画情報記憶手段に格納する提案受付手段と、
前記企画情報の送信元である企画主に、前記企画ＩＤに対応付けて前記企画情報記憶手段に記憶されている提案情報を提供し、前記企画主によって選択された提案者に関する情報を前記企画主から受け付ける情報提供手段と、
前記提案情報の送信元である提案者のうち、前記企画主によって選択された提案者から受け付けた前記コンテンツの制作指示の内容と、選択された提案者から受け付けた提案情報とに基づいて、前記制作指示を、コンテンツを制作する制作者に通知する通知手段と、
を備えたことを特徴とするサーバ装置。
【請求項２】
前記提案受付手段は、
前記制作者に関する情報を含む前記提案情報を受け付ける、
ことを特徴とする請求項１に記載のサーバ装置。
【請求項３】
前記提案受付手段は、
前記制作者の候補を前記提案者に提示し、当該制作者の候補から当該提案者に選択された制作者に関する情報を含む前記提案情報を受け付ける、
ことを特徴とする請求項２に記載のサーバ装置。
【請求項４】
前記提案受付手段は、
前記企画情報に基づいて選定された制作者の候補を前記提案者に提示する、
ことを特徴とする請求項３に記載のサーバ装置。
【請求項５】
前記提案受付手段は、
複数の制作者によるコンテンツの制作実績と前記企画情報とに基づいて選定された制作者の組合せを前記提案者に提示し、当該提案者に選択された制作者の組合せに関する情報を含む前記提案情報を受け付ける、
ことを特徴とする請求項３又は４に記載のサーバ装置。
【請求項６】
前記提案受付手段は、
前記コンテンツが提供される提供媒体に関する情報を含む前記提案情報を受け付ける、
ことを特徴とする請求項１〜５のいずれか一つに記載のサーバ装置。
【請求項７】
前記企画受付手段は、
前記コンテンツの制作費に関する情報、又は、前記コンテンツの制作時間に関する情報を含む前記企画情報を受け付ける、
ことを特徴とする請求項１〜６のいずれか一つに記載のサーバ装置。
【請求項８】
前記情報提供手段は、
前記提案情報とともに前記提案者による過去の提案実績を前記企画主に提供する、
ことを特徴とする請求項１〜７のいずれか一つに記載のサーバ装置。
【請求項９】
前記情報提供手段は、
前記提案者による過去の提案実績として、当該提案者による過去の提案、当該過去の提案に対応するコンテンツに関する情報を提供する、
ことを特徴とする請求項８に記載のサーバ装置。
【請求項１０】
前記情報提供手段は、
前記コンテンツに関する情報として、当該コンテンツがユーザに閲覧された閲覧数、又は、当該コンテンツが提供されたユーザによる当該コンテンツに対する評価を提供する、
ことを特徴とする請求項９に記載のサーバ装置。
【請求項１１】
前記企画受付手段は、
前記コンテンツの制作に関する所定の制作条件を含む前記企画情報を受け付け、
前記提案受付手段は、
前記提案者による過去の提案実績に基づいて、前記企画情報に含まれる制作条件を満たす提案者から提案情報を受け付ける、
ことを特徴とする請求項１〜１０のいずれか一つに記載のサーバ装置。
【請求項１２】
前記企画受付手段は、
前記コンテンツの制作に関する所定の制作条件を含む前記企画情報を受け付け、
前記情報提供手段は、
前記提案者による過去の提案実績に基づいて、前記企画情報に含まれる制作条件を満たす提案者から受け付けた提案情報を前記企画主に提供する、
ことを特徴とする請求項１〜１１のいずれか一つに記載のサーバ装置。
【請求項１３】
前記提案者からの指示に従って、前記コンテンツを制作することを希望する制作者を募集する募集手段、
をさらに備えたことを特徴とする請求項１〜１２のいずれか一つに記載のサーバ装置。
【請求項１４】
前記企画情報を提示し、前記コンテンツとともに所定のコンテンツを表示させる権利を販売する販売サービスを提供するサービス提供手段、
をさらに備えたことを特徴とする請求項１〜１３のいずれか一つに記載のサーバ装置。
【請求項１５】
コンピュータが実行するサービス提供方法であって、
コンテンツの企画に関する企画情報を受け付け、受け付けた前記企画情報を、前記企画を識別するための企画ＩＤと対応付けて企画情報記憶手段に格納する企画受付工程と、
前記企画ＩＤに対応付けて前記企画情報記憶手段に記憶されている企画情報によって示される企画への提案に関する提案情報を提案者から受け付け、受け付けた提案情報を前記企画ＩＤに対応付けて前記企画情報記憶手段に格納する提案受付工程と、
前記企画情報の送信元である企画主に、前記企画ＩＤに対応付けて前記企画情報記憶手段に記憶されている提案情報を提供し、前記企画主によって選択された提案者に関する情報を前記企画主から受け付ける情報提供工程と、
前記提案情報の送信元である提案者のうち、前記企画主によって選択された提案者から受け付けた前記コンテンツの制作指示の内容と、選択された提案者から受け付けた提案情報とに基づいて、前記制作指示を、コンテンツを制作する制作者に通知する通知工程と、
を含んだことを特徴とするサービス提供方法。
【請求項１６】
コンテンツの企画に関する企画情報を受け付け、受け付けた前記企画情報を、前記企画を識別するための企画ＩＤと対応付けて企画情報記憶手段に格納する企画受付手順と、
前記企画ＩＤに対応付けて前記企画情報記憶手段に記憶されている企画情報によって示される企画への提案に関する提案情報を提案者から受け付け、受け付けた提案情報を前記企画ＩＤに対応付けて前記企画情報記憶手段に格納する提案受付手順と、
前記企画情報の送信元である企画主に、前記企画ＩＤに対応付けて前記企画情報記憶手段に記憶されている提案情報を提供し、前記企画主によって選択された提案者に関する情報を前記企画主から受け付ける情報提供手順と、
前記提案情報の送信元である提案者のうち、前記企画主によって選択された提案者から受け付けた前記コンテンツの制作指示の内容と、選択された提案者から受け付けた提案情報とに基づいて、前記制作指示を、コンテンツを制作する制作者に通知する通知手順と、
をコンピュータに実行させることを特徴とするサービス提供プログラム。
【手続補正書】
【提出日】平成28年12月7日(2016.12.7)
【手続補正１】
【補正対象書類名】特許請求の範囲
【補正対象項目名】全文
【補正方法】変更
【補正の内容】
【特許請求の範囲】
【請求項１】
第１のトランジスタと、第２のトランジスタと、第３のトランジスタと、第１のスイッチと、容量と、を有し、
前記第１のトランジスタのソース又はドレインの一方は、前記第２のトランジスタのソース又はドレインの一方と電気的に接続され、
前記第１のトランジスタのソース又はドレインの一方は、出力端子と電気的に接続され、
前記第１のトランジスタのソース又はドレインの他方は、第１の配線と電気的に接続され、
前記第２のトランジスタのソース又はドレインの他方は、第２の配線と電気的に接続され、
前記第１のトランジスタのゲートは、前記第３のトランジスタのソース又はドレインの一方と電気的に接続され、
前記第１のトランジスタのゲートは、前記第１のスイッチの第１の端子と電気的に接続され、
前記第１のトランジスタのゲートは、前記容量の第１の端子と電気的に接続され、
前記第１のスイッチの第２の端子は、前記第２の配線と電気的に接続され、
前記容量の第２の端子は、入力端子と電気的に接続されていることを特徴とする半導体装置。
【請求項２】
第１のトランジスタと、第２のトランジスタと、第３のトランジスタと、第１のスイッチと、容量と、を有し、
前記第１のトランジスタは、第１の配線と出力端子との導通又は非導通を制御する機能を有し、
前記第２のトランジスタは、第２の配線と前記出力端子との導通又は非導通を制御する機能を有し、
前記第１のトランジスタのゲートは、前記第３のトランジスタのソース又はドレインの一方と電気的に接続され、
前記第１のトランジスタのゲートは、前記第１のスイッチの第１の端子と電気的に接続され、
前記第１のトランジスタのゲートは、前記容量の第１の端子と電気的に接続され、
前記第１のスイッチの第２の端子は、前記第２の配線と電気的に接続され、
前記容量の第２の端子は、第３の配線と電気的に接続され、
前記第３の配線には、クロック信号が入力されていることを特徴とする半導体装置。
【請求項３】
請求項１又は請求項２において、
前記第１の配線には、第１の電源電位が供給され、
前記第２の配線には、第２の電源電位が供給されることを特徴とする半導体装置。